(57)【要約】【課題】軒樋の端部同士を隙間を生じさせずに正確に位置決めすることができるともに、軒樋の内側に簡易な操作で内継手を所定の位置に確実に嵌め入れて定着させることができるように軒樋二重継手を構成する。【解決手段】軒樋１の接続端部間に跨って装着される外継手２と内継手３からなる軒樋二重継手において、外継手２をその内面中央部に前後位置決め片２２１、２３１を設けるとともに両位置決め片に内継手３の前後壁３２、３３の上端が係合する前後凹段部２２１ａ、２３１ａを設けて形成し、内継手３をその前壁３２の上部に前記前方凹段部２２１ａに係合する係止突部３４を設けるとともに後壁３３の上端に傾斜壁部３３１を連ね、且つこの傾斜壁部３３１の上端中央に前記後方凹段部２３１ａに係合する係止凹部３３２を設けて形成する。【選択図】図１
2010144329.tif 000002
【特許請求の範囲】
【請求項１】
底壁部（１１）の前端から斜め前方に傾斜した前壁部（１２）と後端から略垂直に屈曲した後壁部（１３）とで前後壁部間の開口が底壁部（１１）よりも幅広に形成された軒樋（１）の端部同士を接続する継手であって当該接続端部間に跨って軒樋（１）の外側に装着される外継手（２）と内側に装着される内継手（３）からなる軒樋二重継手において、
前記外継手（２）は、軒樋（１）の外面に略沿って屈曲した底壁（２１）、前壁（２２）及び後壁（２３）を有し、前記前壁（２２）と後壁（２３）の内面中央上部に当該前後壁（２２、２３）と直交して内方に突出していて軒樋（１、１）の端部が当接する前後位置決め片（２２１、２３１）をそれぞれ設けるとともに、前後位置決め片（２２１、２３１）の先端縁部に内継手（３）の前後壁（３２、３３）の上端が係合する前後凹段部（２２１ａ、２３１ａ）をそれぞれ設けて形成され、
前記内継手（３）は、軒樋（１）の底壁部（１１）内面に略沿う底壁（３１）と前後壁部（１２、１３）の下半部内面に略沿う前壁（３２）及び後壁（３３）を有し、前記前壁（３２）の上部に外継手（２）の前方凹段部（２２１ａ）に当接する肩部（３２２）と当該前方凹段部（２２１ａ）の下縁に係合する係止突部（３４）を設けるとともに、前記後壁（３３）の上端に内方に傾斜して折れた傾斜壁部（３３１）を連ね、且つこの傾斜壁部（３３１）の上端中央に外継手（２）の後方凹段部（２３１ａ）に係合する係止凹部（３３２）を設けて形成された構成を有することを特徴とする軒樋二重継手。
【請求項２】
内継手（３）は、その肩部（３２２）から係止凹部（３３２）までの距離Ｌが、その底壁（３１）と前壁（３２）との角隅部から係止凹部（３３２）までの距離Ｓよりも大きくなる（Ｌ＞Ｓ）ように形成されていることを特徴とする請求項１に記載の軒樋二重継手。
【請求項３】
前壁部（１２）の略中央に水平方向に延びた凹溝（１２５）が形成された軒樋（１）の端部同士を接続する請求項１又は２に記載の軒樋二重継手。
【発明の詳細な説明】
【技術分野】
【０００１】
本発明は、軒樋の突き合わせた端部同士の内外両面に、内継手と外継手を重ね合わせて一体に挟持接続する軒樋二重継手に関し、高所での軒樋の接続作業を簡単且つ確実に行えるように改良された構造のものに関する。
【背景技術】
【０００２】
軒樋の端部同士を一体に接続する継手として、軒樋の突き合わせ端部間を跨ぐようにして、当該両端部の外側面に外継手を、内側面に内継手をそれぞれ装着し、内外継手で前記端部同士を挟持固定する構造の二重継手が知られている。
図６は従来の二重継手の一例を示し、この継手は上方が開口した断面略Ｕ字形状の軒樋９１の形状に沿う如く形成された外継手９２及び内継手９３からなっている。
外継手９２は、その屋外側立壁９２１の幅方向の略中央に、二枚の板片部を前記幅方向及び上下方向に沿って十字形に交差した位置決め突起９２２を設け、これと対向する家屋側立壁９２３の略中央には、斜め下方へ突出した内向き係止片９２４を設けて形成してある。内継手９３は、その屋外側立壁９３１の幅方向の略中央に貫通孔であるガイド孔９３２を穿設し、これと対向する家屋側立壁９３３には、その上端両側に間隙９３４を挟んで内方へ突出した横短片９３５、９３５を設けて形成してある。
そして、軒樋９１、９１の端部同士を向き合わせた状態で両端部の外側から外継手９２を装着し、両端部間から軒樋９１の内側に前記位置決め突起９２２と内向き係止片９２４を突出させて、これらに両軒樋９１、９１の端部を当接させる一方、両端部の上方から内継手９３を内側に装着し、前記内向き係止片９２４に内継手９３の横短片９３５、９３５の間に位置する間隙９３４を係着させてからガイド孔９３２に前記位置決め突起９２２を係止させることにより、内外継手９２、９３で両軒樋９１、９１の端部同士を挟持固定するようになっている（例えば特許文献１〜３参照）。
【０００３】
図７は従来の軒樋継手の他の例を示し、これは開口が底壁部９１１より狭くなっている図６に示した先窄まり形の軒樋９１とは異なって、開口が底壁部９１１よりも幅広に形成された軒樋９１の接続に用いられ、前記構成のものと同様に、軒樋９１の形状に沿う如く形成された外継手９２及び内継手９３からなっている。
外継手９２は、その屋外側立壁９２１の上端と家屋側立壁９２３の上端に、軒樋９１の前壁部９１２上端の前耳部９１２ａと後壁部９１３上端の後耳部９１３ａにそれぞれ係合する内方へ屈曲した係合部９２１ａ、９２３ａを設けて形成してある。内継手９３は、軒樋９１の底壁部９１１、前壁部９１２及び後壁部９１３の下半部内面に接合する下継手部材９３Ａと、軒樋９１の後壁部９１３の上半部内面に接合する上継手部材９３Ｂとにより形成してある。
そして、軒樋９１、９１の端部同士を突き合わせた状態で、内継手９３の下継手部材９３Ａを前記突き合わせ端部の内面に装着するとともに、上継手部材９３Ｂをその上端を両軒樋９１、９１の後壁部９１３上端の後耳部９１３ａ内側に係入しつつその下端を下継手部材９３Ａの上端に嵌合させて両部材を前記突き合わせ端部の内面に沿って接合し、軒樋９１、９１の端部同士を一体に接続する。次いで外継手９２を前記突き合わせ端部の外側から装着し、前記係合部９２１ａ、９２３ａを両軒樋９１、９１の前後耳部９１２ａ、９１３ａに係合させることにより、軒樋９１、９１の突き合わせ端部が露出しないように外継手９２で覆うようになっている（例えば特許文献４参照）。
なお、図示した何れの形態のものも、内外継手９２、９３の表面に接着剤を塗布して軒樋９１、９１の内外両面に装着し、接着一体化される。
【０００４】
【特許文献１】特開平１０−１４０７６１号公報
【特許文献２】特開２００２−６１３５２号公報
【特許文献３】特開２００２−１０６１２２号公報
【特許文献４】特開２００８−２３１７５４号公報
【発明の開示】
【発明が解決しようとする課題】
【０００５】
前記図６に示された二重継手は、外継手９２の位置決め突起９２２と内向き係止片９２４の両側に軒樋９１、９１の端部を突き当てることで、両軒樋の接続位置を正確に位置決めすることができ、また、これら位置決め突起９２２と内向き係止片９２４とに内継手９３が係合するように構成されているので、内外継手９２、９３の装着位置がずれたり外れたりし難いという利点がある。
しかし、この二重継手で接続される軒樋９１は、底壁部９１１の幅が広く、且つ前壁部９１２と後壁部９１３とで区画される開口側が狭い、先窄まり状に形成されている。そのため、この軒樋９１、９１同士を接続する場合には、同図（Ｂ）に断面で示す如く、内周面に接着剤を塗布した外継手９２を押し広げながら軒樋９１の外側に装着し、次いで外周面に接着剤を塗布した内継手９３を押し狭めながら斜めにして軒樋９１の開口から内部に嵌め込まなければならず、その際、軒樋９１の接続位置がずれ易く、また、軒樋９１の内面に内継手９３を押し付けて固定する操作が不可欠となる。この接続作業は足場の不安定な高所で手探りの状態で行わなければならないため、内継手９３に無理な力を加えて軒樋９１の内部に嵌め入れる際に、内継手９３の外周面に塗布した接着剤が削ぎ落とされたまま装着されてしまうことがあった。
また、内継手９３の装着は、その家屋側立壁９３３上端の間隙９３４を外継手９２の内向き係止片９２４に係合させ、当該係合部を支点として内継手９３の屋外側立壁９３１側を軒樋９１の内側へ回転操作することにより行われるが、その回転操作に伴い弾性変形する屋外側立壁９３１側の半面は大きな押圧力が作用して軒樋９１の内面に確実に接合させることができるものの、支点側となる内継手９３の家屋側立壁９３３にかかる押圧力は小さく、家屋側立壁９３３と軒樋９１の後壁部９１３との接合が不十分となり易く、内継手９３を軒樋９１の内側に嵌め込んだ後でも、家屋側立壁９３３を軒樋９１の後壁部９１３に押し付ける操作が必要であった。
【０００６】
前記図７に示された軒樋継手は、開口が幅広な軒樋９１に内継手９３を装着する形態であるため、装着操作の際に、その外周面に塗布した接着剤の削ぎ落としは起こり難い。しかし、この軒樋継手では、軒樋９１、９１の突き合わせた端部との位置合わせが難しいだけでなく、内継手９３を装着する際に両軒樋の端部を突き合わせた状態のままで下方から支持しなければならず、また、内外継手９２、９３同士が係合して軒樋を一体的に挟持する構成のものではないので、強風時に軒樋９１の外周面から外継手９２が外れたり、接合部の強度に多少の不安があったりした。
【０００７】
図７に示された開口が幅広な軒樋９１、９１同士を接続する軒樋継手において、外継手９２の内面に両軒樋９１、９１の端部が当接する位置決め片と内継手９３の家屋側立壁９３３の端部が係合する内向き係止片とを設けることが考えられる。しかし、図６に示された二重継手の如く、外継手９２の家屋側立壁９２３に内向き係止片内９２４を設け、これに内継手９３の家屋側立壁９３３の上端を係着させてから内継手３を回転操作し得るように設けたとしても、軒樋９１の開口が幅広で内継手９３を弾性変形させずに装着可能なため、内継手３の回転操作に伴って軒樋９１の内面に内継手９３の外面を押し付ける押圧力は得られず、また、内継手９３の家屋側立壁９３３と軒樋９１の後壁部９１３との接合が不十分となり易いことに変わりはない。
【０００８】
本発明は従来技術の有するこのような問題点に鑑み、軒樋の突き合わせ端部を内外面から継手で挟持して接続する軒樋二重継手において、軒樋の端部同士を隙間を生じさせずに正確に位置決めして接続することができるとともに、軒樋の内側に内継手を簡易な操作で所定の位置に確実に嵌め入れて定着させることができ、接続作業のミスによる雨水漏れが生じることのない軒樋二重継手を提供することを課題とする。
【課題を解決するための手段】
【０００９】
前記課題を解決するため本発明は、底壁部の前端から斜め前方に傾斜した前壁部と後端から略垂直に屈曲した後壁部とで前後壁部間の開口が底壁部よりも幅広に形成された軒樋の端部同士を接続する継手であって当該接続端部間に跨って軒樋の外側に装着される外継手と内側に装着される内継手からなる軒樋二重継手において、
前記外継手は、軒樋の外面に略沿って屈曲した底壁、前壁及び後壁を有し、前記前壁と後壁の内面中央上部に当該前後壁と直交して内方に突出していて軒樋の端部が当接する前後位置決め片をそれぞれ設けるとともに、前後位置決め片の先端縁部に内継手の前後壁の上端が係合する前後凹段部をそれぞれ設けて形成され、
前記内継手は、軒樋の底壁部内面に略沿う底壁と前後壁部の下半部内面に略沿う前壁及び後壁を有し、前記前壁の上部に外継手の前方凹段部に当接する肩部と当該前方凹段部の下縁に係合する係止突部を設けるとともに、前記後壁の上端に内方に傾斜して折れた傾斜壁部を連ね、且つこの傾斜壁部の上端中央に外継手の後方凹段部に係合する係止凹部を設けて形成された構成を有することを特徴とする。
【００１０】
本発明の軒樋二重継手を用いた軒樋の端部同士の接続は、軒に沿って配された接続すべき軒樋の端部間の外側に外継手を平行に配置し、両軒樋の端部外周面を外継手の内面に接合させるとともに、軒樋の内方へ突出した外継手の前後位置決め片の両側に、両軒樋の端部をそれぞれ当接させて軒樋の接続位置を位置決めする。
両軒樋の端部間の外面に外継手を装着したならば、軒樋の開口上方から内継手をその後壁上端側を下向きにして軒樋内部に差し入れ、内継手の傾斜壁部に形成された係止凹部を外継手の後方凹段部に係合させる。
そして、この係合部位を支点として内継手の前壁側を下方へ回転操作しながら内継手を軒樋内部に押し込めば、両軒樋の端部内面に内継手の外面が重なり合い、外継手の前方凹段部に内継手の肩部が当接し、且つその下縁に係止突部が係合することにより、両軒樋の端部内面に内継手の外面を密着接合させた状態で外継手と内継手が連結嵌合し、両軒樋の端部同士が挟持接続される。
【００１１】
これによれば、外継手の内面に突設させた前後位置決め片の両側に軒樋の端部をそれぞれ当接させることにより、軒樋の接続位置を正確に位置決めするとともに、両軒樋の端部外面と外継手内面とを隙間を開けずに密着接合することができる。
また、軒樋の開口部上方から内継手をその後壁側を下向きにして軒樋内部に差し入れ、内継手の傾斜壁部に設けた係止凹部を外継手の後方凹段部に引っ掛けて内継手を回転させつつ係止突部を外継手の前方凹段部に係合させるという簡単な操作によって、内継手の外面を軒樋内面に密着接合させて外継手と一体的に連結することができる。
内継手を回転操作する際、その回転支点は、従来の継手の如く外継手の後壁上端に設定してあるのではなく、外継手の後壁から前方に突出した後方位置決め片に形成された後方凹段部に設定されており（図４参照）、しかも、この後方凹段部に、内継手の後壁から斜め前方に突出した傾斜壁部上端の係止凹部が係合するように設けてある。そのため、内継手を前記係合部を支点に回転操作して下方へ押し込むと、内継手の前壁、底壁及び後壁の全周壁に押圧力が作用して、内継手の外面が軒樋の内面に押し付けられ、内継手の外面を軒樋内面に確実に密着接合させることができる。
前記軒樋の接続作業は、軒樋に装着する外継手の内面と内継手の外面の全体に又は部分的に接着剤を塗布しておき、これを軒樋の内外表面に接合することで水密的に接続して一体に固着することができる。特に内継手の肩部から係止凹部までの距離Ｌが、その底壁と前壁との角隅部から係止凹部までの距離Ｓよりも大きくなる（Ｌ＞Ｓ）ように設定されていれば、内継手を外継手内で回転操作する際に両継手が干渉することはなく、内継手の外面に塗布した接着剤を軒樋内部で削ぎ落とさずに、無理な力を加えることなく簡単に装着することができる。
また、前記構成において、接続する軒樋がその前壁部の略中央に水平方向に延びる凹溝を設けた形状のものであれば、軒下から軒先を見上げたときに、水平方向に延びる凹溝がアクセントとなって軒樋の見栄えが良くなり、軒先の美観が向上するだけでなく、軒樋や継手の剛性が格段に高まり、曲がりや捩れなどの変形を来し難くなって好ましい。
【発明を実施するための最良の形態】
【００１２】
本発明の好適な一実施形態を図面を参照して説明する。
図１は本発明の一実施形態である軒樋二重継手とこれを用いて端部同士を接続する軒樋の展開状態の斜視図、図２は外継手の平面図と正面図、図３は内継手の一部を破断した平面図と正面図、図４は外継手に内継手を連結した状態の継手の正面図、図５は屋根の軒部分の断面を示した図であって内継手を軒樋内に差し入れる状態を示した図である。
各図において、符号１は軒樋、２は外継手、３は内継手をそれぞれ示している。
【００１３】
軒樋１は、例えば塩化ビニル樹脂などで表面が被覆された樹脂被覆鋼板、或いはアルミなどの耐蝕性を有する金属鋼板を板金加工により長手方向に沿って屈曲成形したものであり、図１に示されるように、底壁部１１の前端から斜め前方に傾斜して立ち上がる前壁部１２と、底壁部１１の後端から略垂直に屈曲して立ち上がる後壁部１３とによって、前後壁部１２、１３間の開口が底壁部１１よりも幅広な略Ｕ字形断面形状に形成してある。前壁部１２の上端には内側に鋭角に折り返した前耳部１２ａ、後壁部１３の上端には後方に屈曲して内側に開口した断面略コ字状の後耳部１３ａがそれぞれ形成されており、前壁部１２の略中央には、水平面１２３と垂直面１２４からなる水平方向に延びた凹溝１２５が形成してある。
【００１４】
外継手２は、軒樋１の外面形状に略沿うように屈曲した底壁２１、前壁２２及び後壁２３からなる断面略Ｕ字状の帯状部材であり、軒樋１の底壁部１１と前後壁部１２、１３の外面に前記底壁２１、前壁２２及び後壁２３の内面を接合させて、軒樋１の外面に嵌合装着する形状に設けてある。
詳しくは、図２に示されるように、底壁２１の前端から斜め前方に立ち上がった前壁２２には、その高さ方向の略中央に軒樋１の凹溝１２５に外嵌合する段部２２５、前壁２２の上端に軒樋１の前耳部１２ａに係合する前耳支持部２２２をそれぞれ設けてあるとともに、その内面上部中央に前耳支持部２２２の下面に連なって当該前壁２２と直交して内方へ突出した前方位置決め片２２１を設けてある。前方位置決め片２１１の後壁２３側へ突出した縁部には先端が内側へ突出した鉤状の前方凹段部２２１ａが形成されており、この前方凹段部２２１ａに後述する内継手３の肩部３２２及び係止突部３４が係合するようになっている。
また、底壁２１の後端から略垂直に立ち上がった後壁２３の内面中央部上方には、当該後壁２３と直交して内方へ突出した後方位置決め片２３１を設けるとともに、当該後方位置決め片２３１の下部に縁部が山形に屈曲してなる後方凹段部２３１ａを形成し、この後方凹段部２３１ａに後述する内継手３の後壁３３に連なる傾斜壁部３３１が係合するようになっている。
また、外継手２の中央内面には、前壁２２の前方位置決め片２２１の下端から底壁２１を挟んで後壁２３の後方位置決め片２３１の下端に亘って、内方へ突き出た筋状の突片２４を形成してある。この突片２４は、軒樋１、１の接続端部間に外継手２を装着し、両軒樋１、１の端部が突片２４の両側に当接した状態で、両軒樋１、１の内面が突片２４を介して面一となるように、その突出寸法を軒樋１の肉厚と略同じに設定してある。
【００１５】
内継手３は、軒樋１の底壁部１１の内面に略沿う底壁３１と前後壁部１２、１３の下半部内面に略沿って屈曲した前壁３２及び後壁３３を有して形成された断面略Ｕ字状の部材であり、軒樋１の内面に前記底壁３１、前壁３２及び後壁３３の外面を接合させて、軒樋１の内面に嵌合装着する形状に設けてある。
詳しくは、図３に示されるように、底壁３１の前端から斜め前方に立ち上がった前壁３２には、その略中央に軒樋１の凹溝１２５の内側段部に嵌合する凹溝３２１を設け、その上方に略垂直に立ち上がってから内側に折れ曲がっていて外継手２の前方凹段部２２１ａに当接する肩部３２２を設けるとともに、この肩部３２２の上部に前方凹段部２２１ａの下縁に係合する係止突部３４を設け、さらにその上部にコ字状屈曲部を介して、軒樋１に装着した際にその前耳部１２ａに下側から接する突出部３５を設けてある。
また、底壁３１の後端から略垂直に立ち上がった後壁３３は、軒樋１の後壁部１３の略半分の高さに設定されており、この後壁３３の上部に内方へ傾斜して折れた傾斜壁部３３１が連なり、当該傾斜壁部３３１の中央上端に外継手２の後方凹段部２３１ａに係合する、略Ｖ字状に切り欠いた係止凹部３３２が形成してある。
なお、内継手３は、その肩部３２２から係止凹部３３２までの距離Ｌが、底壁３１と前壁３２との角隅部から係止凹部３３２までの距離Ｓよりも大きくなるように設定してあれば、内継手３に無理な力を加えず、且つ変形させなくても、軒樋１の内側に簡単に差し込んで装着することが可能である。
【００１６】
このように構成された外継手２と内継手３は、図４に示されるように、外継手２の内側に内継手３を嵌め入れると、外継手２の前壁２２の前方位置決め片２２１、後壁２３の後方位置決め片２３１及び筋状の突片２４に、内継手３の前壁３２、底壁３１及び後壁３３の外面がそれぞれ当接し、外継手２の前方凹段部２２１ａに内継手３の肩部３２２と係止突部３４が係合し且つ外継手２の後方凹段部２３１ａに内継手３の傾斜壁部３３１と係止凹部３３２が係合して一体に連結嵌合するようになっている。
また、外継手２の内側に内継手３を嵌め入れる操作は、外継手２の上方から内継手３をその後壁３３側を下向きにして外継手２内に差し入れ、内継手２の傾斜壁部３３１に形成された係止凹部３３２を外継手２の後方凹段部２３１ａに係合させ、この係合部位を支点として内継手３の前壁３２側を下方へ回転操作して行われ、内継手３の前壁３２を下方へ押し込めば、外継手２の前方凹段部２２１ａに内継手３の肩部３２２が当接するとともにその下縁に係止突部３４が係合して、内外継手２、３が連結する。前記の通り、内継手３はその肩部３２２から係止凹部３３２までの距離Ｌが、底壁３１と前壁３１との角隅部から係止凹部３３２までの距離Ｓよりも大きくなるように形成してあるので、外継手２内部の所定の連結位置まで内継手３を回転操作する過程で、内継手３の外面が外継手２の内面に干渉することはなく、内継手３を弾性変形させずに外継手２に装着することが可能である。
【００１７】
このように構成された本形態の軒樋二重継手を用いて軒樋１、１同士を接続する作業手順を説明する。
先ず、図５に示されるように、軒先に沿って取り付けた軒樋吊り具４に軒樋１を支持するとともに、軒樋１、１の突き合わせ端部に跨って外継手２を装着する。この際、予め外継手２の内周面に接着剤を塗布しておき、突き合わせた軒樋１、１の端部を外継手２の前後位置決め片２２１、２３１と突片２４とに当接させて接続位置を位置決めした状態で仮接続する。
次いで、軒樋１の開口上方から、外周面に接着剤を塗布した内継手３を斜めにして軒樋１、１の突き合せ端部に跨るようにして内部に差し入れ、内継手３の係止凹部３３２を外継手２の後方凹段部２３１ａに引っ掛け、これを支点として前壁３２側を下方へ回転させれば、内継手３の前壁３２、底壁３１及び後壁３３の全面に押圧力が作用して内継手３の外面が軒樋１の内面に押し付けられて密着接合し、同時に内継手３の係止突部３４が外継手２の前方凹段部２２１ａに係合して内外継手２、３が連結嵌合し、両継手間で軒樋１、１の端部が挟持接続される。
内継手３の肩部３２２から係止凹部３３２までの距離Ｌが、底壁３１と前壁３２とが交差する角隅部から係止凹部３３２までの距離Ｓより大きくなるように設けてあるので、接続作業の際に、内継手３に無理な力を加えて変形させなくとも、軒樋１の内側に簡単に差し入れて装着することが可能である。
【００１８】
なお、図示した外継手２と内継手３の形態の形態は一例であり、接続する軒樋１の形状などに応じて適宜な形態とのものとすることができる。軒樋１を接続する作業手順も一例であり、施工環境や軒樋１の形状などに応じて適宜な手順で行うことが可能である。
【図面の簡単な説明】
【００１９】
【図１】本発明の一実施形態である軒樋二重継手及び接続する軒樋の展開状態の斜視図である。
【図２】外継手の平面図（Ａ）と正面図（Ｂ）である。
【図３】内継手の一部を破断した平面図（Ａ）と正面図（Ｂ）である。
【図４】外継手に内継手を連結嵌合した状態の継手の正面図である。
【図５】屋根の軒部分の断面を示した図であって内継手を軒樋内に差し入れる状態を示した図である。
【図６】従来の軒樋二重継手の一例を示す展開状態の斜視図（Ａ）と内継手を軒樋内に装着する状態の拡大断面図である。
【図７】従来の軒樋継手の他の例を示す展開状態の斜視図である。
【符号の説明】
【００２０】
１  軒樋、１１  底壁部、１２  前壁部、１２５  凹溝、１３  後壁部、２  外継手、２１  底壁、２２  前壁、２２１  前方位置決め片、２２１ａ  前方凹段部、２３  後壁、２３１  後方位置決め片、２３１ａ  後方凹段部、２４  突片、３  内継手、３１  底壁、３２  前壁、３２２  肩部、３３  後壁、３３１  傾斜壁部、３３２  係止凹部、３４  係止突部、４  軒樋吊り具
【図１】
2010144329.tif 000003
【図２】
2010144329.tif 000004
【図３】
2010144329.tif 000005
【図４】
2010144329.tif 000006
【図５】
2010144329.tif 000007
【図６】
2010144329.tif 000008
【図７】
2010144329.tif 000009